(57)【要約】【課題】見栄えの良い画像を簡易に得て表示することである。【解決手段】画像表示装置１は、画像を表示する表示部１４と、メモリカードＭ等から読み込んだ元画像から例えばフォーカス位置を含む被写体画像を特定し、当該被写体画像のフォーカス位置又は重心位置を、前記元画像を縦横に３分割したときの３分割線の交点に合わせる加工を前記元画像に施し、当該加工を施した画像を表示部１４に表示させるＣＰＵ１１と、を備える。【選択図】図１
2012073422.tif 000002
【特許請求の範囲】
【請求項１】
画像を表示する表示部と、
外部より供給されて読み込まれた元画像から主要な被写体画像を特定し、当該被写体画像のフォーカス位置又は重心位置を、前記元画像を縦横に３分割したときの３分割線の交点に合わせる加工を前記元画像に施し、当該加工を施した画像を前記表示部に表示させる制御部と、を備える画像表示装置。
【請求項２】
前記制御部は、前記特定された被写体画像のフォーカス位置又は重心位置が３分割線の交点に位置する前記元画像のトリミング範囲を設定し、当該トリミング範囲で前記元画像をトリミングし、当該トリミングした画像を前記元画像の大きさに拡大し、当該拡大した画像を前記表示部に表示させる請求項１に記載の画像表示装置。
【請求項３】
前記制御部は、前記特定された被写体画像を前記元画像から抽出し、当該抽出した被写体画像を、そのフォーカス位置又は重心位置が前記元画像の３分割線の交点になる位置に移動して貼り付け、当該被写体画像を抽出した前記元画像の空白領域を補間し、当該補間した画像を前記表示部に表示させる請求項１に記載の画像表示装置。
【請求項４】
前記制御部は、前記被写体画像のフォーカス位置又は重心位置を元画像の３分割線の交点に合わせた画像をアート変換し、当該アート変換した画像を前記表示部に表示させる請求項１から３のいずれか一項に記載の画像表示装置。
【請求項５】
コンピュータを、
画像を表示する表示部、
外部より供給されて読み込まれた元画像から主要な被写体画像を特定し、当該被写体画像のフォーカス位置又は重心位置を、前記元画像を縦横に３分割したときの３分割線の交点に合わせる加工を前記元画像に施し、当該加工を施した画像を前記表示部に表示させる制御部、
として機能させるためのプログラム。
【発明の詳細な説明】
【技術分野】
【０００１】
本発明は、画像表示装置及びプログラムに関する。
【背景技術】
【０００２】
従来、デジタルカメラで撮影した写真画像を鑑賞用に表示するデジタルフォトフレーム等の表示装置が知られている。
【０００３】
また、上記表示装置として、撮影した写真画像をそのまま表示するだけでなく、当該写真画像を絵画調に変換して表示する表示装置が知られている（例えば、特許文献１参照）。
【０００４】
また、写真画像における被写体の配置について、好ましいとされる構図が幾つか知られている。代表的なものは、３分割構図である。これは、概略、画面を縦横に３分割した仮想の線を引き、この線の交点付近に見せたい被写体を配置すると、バランスが良く見えて見映えが良くなったり、視線を誘導して被写体を目立たせたり、することができて、撮影意図が伝わり易いとされている。
【先行技術文献】
【特許文献】
【０００５】
【特許文献１】特開２０００−９８９８７号公報
【発明の概要】
【発明が解決しようとする課題】
【０００６】
しかし、上記従来の表示装置は、元の写真画像を同じ構図のまま絵画調に変形するものであった。一般の撮影者が撮影した写真画像は、好ましい構図になっておらず、何の意図で撮った写真なのかが分からない、あるいは撮影意図が伝わらないような、見映えのしない写真になっていることが多い。このため、上記従来の表示装置に表示する画像も好ましい構図にならないため、見栄えのしない画像となるおそれがあった。
【０００７】
本発明の課題は、見栄えの良い画像を簡易に得て表示することである。
【課題を解決するための手段】
【０００８】
上記課題を解決するために、請求項１に記載の発明の画像表示装置は、
画像を表示する表示部と、
外部より供給されて読み込まれた元画像から主要な被写体画像を特定し、当該被写体画像のフォーカス位置又は重心位置を、前記元画像を縦横に３分割したときの３分割線の交点に合わせる加工を前記元画像に施し、当該加工を施した画像を前記表示部に表示させる制御部と、を備える画像。
【０００９】
請求項２に記載の発明は、請求項１に記載の画像表示装置において、
前記制御部は、前記特定された被写体画像のフォーカス位置又は重心位置が３分割線の交点に位置する前記元画像のトリミング範囲を設定し、当該トリミング範囲で前記元画像をトリミングし、当該トリミングした画像を前記元画像の大きさに拡大し、当該拡大した画像を前記表示部に表示させる。
【００１０】
請求項３に記載の発明は、請求項１に記載の画像表示装置において、
前記制御部は、前記特定された被写体画像を前記元画像から抽出し、当該抽出した被写体画像を、そのフォーカス位置又は重心位置が前記元画像の３分割線の交点になる位置に移動して貼り付け、当該被写体画像を抽出した前記元画像の空白領域を補間し、当該補間した画像を前記表示部に表示させる。
【００１１】
請求項４に記載の発明は、請求項１から３のいずれか一項に記載の画像表示装置において、
前記制御部は、前記被写体画像のフォーカス位置又は重心位置を元画像の３分割線の交点に合わせた画像をアート変換し、当該アート変換した画像を前記表示部に表示させる。
【００１２】
請求項５に記載の発明のプログラムは、
コンピュータを、
画像を表示する表示部、
外部より供給されて読み込まれた元画像から主要な被写体画像を特定し、当該被写体画像のフォーカス位置又は重心位置を、前記元画像を縦横に３分割したときの３分割線の交点に合わせる加工を前記元画像に施し、当該加工を施した画像を前記表示部に表示させる制御部、
として機能させる。
【発明の効果】
【００１３】
本発明によれば、好ましい構図で見栄えの良い画像を簡易に得て表示できる。
【図面の簡単な説明】
【００１４】
【図１】本発明の実施の形態の画像表示装置の機能構成を示すブロック図である。
【図２】画像表示処理を示すフローチャートである。
【図３】画像表示処理の第１の画像変換表示処理を示すフローチャートである。
【図４】元画像を示す図である。
【図５】（ａ）は、第１の実施の形態の３分割構図の３分割線及びフォーカス位置を有する元画像を示す図である。（ｂ）は、トリミング後の画像を示す図である。（ｃ）は、拡大後の画像を示す図である。（ｄ）は、第１の実施の形態のアート変換後の画像を示す図である。
【図６】第１の実施の形態の３分割線及び複数のフォーカス位置を有する元画像を示す図である。
【図７】第２の画像変換表示処理を示すフローチャートである。
【図８】（ａ）は、第２の実施の形態の３分割構図の３分割線及びフォーカス位置を有する元画像を示す図である。（ｂ）は、被写体画像移動及び貼り付け後の画像を示す図である。（ｃ）は、補間後の画像を示す図である。（ｄ）は、第２の実施の形態のアート変換後の画像を示す図である。
【発明を実施するための形態】
【００１５】
以下、添付図面を参照して本発明に係る好適な第１及び第２実施の形態を順に詳細に説明する。なお、本発明は、図示例に限定されるものではない。
【００１６】
（第１の実施の形態）
図１〜図６を参照して本発明に係る第１の実施の形態を説明する。先ず、図１を参照して本実施の形態の画像表示装置１の装置構成を説明する。図１に、本実施の形態の画像表示装置１の機能構成を示す。
【００１７】
画像表示装置１は、デジタルカメラで撮影された写真画像等の画像を表示するデジタルフォトフレームである。図１に示すように、画像表示装置１は、制御部としてのＣＰＵ（Central Processing Unit）１１と、操作部１２と、ＲＡＭ（Random Access Memory）１３と、表示部１４と、ＲＯＭ（Read Only Memory）１５と、Ｉ／Ｆ（InterFace）部１６と、フラッシュメモリ１７と、メディアコントローラ１８と、を備える。画像表示装置１の各部は、バス１９を介して接続されている。
【００１８】
ＣＰＵ１１は、画像表示装置１の各部を制御する。ＣＰＵ１１は、ＲＯＭ１５に記憶されているシステムプログラム及び各種アプリケーションプログラムの中から指定されたプログラムをＲＡＭ１３に展開し、ＲＡＭ１３に展開されたプログラムとの協働で、各種処理を実行する。
【００１９】
ＣＰＵ１１は、ＲＯＭ１５に記憶されている画像表示プログラム１５１に従い、元画像から主要な被写体画像を特定し、当該特定された被写体画像のフォーカス位置又は重心位置が３分割線の交点に位置するトリミング範囲を設定し、当該トリミング範囲で前記元画像をトリミングし元画像の大きさに拡大し、当該拡大した画像をアート変換して表示部１４にスライドショー表示させる。
【００２０】
操作部１２は、方向キー、決定キー、各種機能キー等の各種キーを含む操作パネルであり、ユーザから押下入力された各キーの操作信号をＣＰＵ１１に出力する。また、操作部１２は、リモートコントローラである構成や、表示部１４に一体的に設けられたタッチパネルのタッチパッドを含む構成としてもよい。
【００２１】
ＲＡＭ１３は、情報を一時的に格納する揮発性のメモリであり、実行される各種プログラムやこれら各種プログラムに係るデータ等を格納するワークエリアを有する。
【００２２】
表示部１４は、各種画面及び画像を表示する表示部である。表示部１４は、駆動回路１４１と、表示パネル１４２と、を有する。駆動回路１４１は、表示パネル１４２の各画素に印加する駆動電圧を制御する回路であり、ＣＰＵ１１の指示に従い表示パネル１４２を駆動制御する。表示パネル１４２は、ＬＣＤ（Liquid Crystal Display）、ＥＬ（Electro Luminescence）ディスプレイ等の表示パネルであり、駆動回路１４１の駆動制御に応じて各種表示を行う。
【００２３】
ＲＯＭ１５は、各種プログラム、各種データが記憶される読み出し専用の半導体メモリである。ＲＯＭ１５には、画像表示プログラム１５１が記憶されている。
【００２４】
Ｉ／Ｆ部１６は、通信ケーブルを介して通信ネットワーク又は外部機器に有線接続されるＵＳＢ（Universal Serial Bus）等のネットワークインタフェースである。画像表示装置１（ＣＰＵ１１）は、Ｉ／Ｆ部１６を介して、Ｉ／Ｆ部１６に接続されたＬＡＮ（Local Area Network）等の通信ネットワーク上のＰＣ（Personal Computer）等の外部機器、又はＩ／Ｆ部１６に直接接続された外部機器と通信を行う。なお、画像表示装置１は、ＷｉＦｉ（Wireless Fidelity）、Bluetooth（登録商標）等の無線通信部や、ＩｒＤＡ（Infrared Data Association）等の赤外線通信部等を備える構成としてもよい。
【００２５】
フラッシュメモリ１７は、各種データ等の情報が読み出し及び書き込み可能な半導体メモリである。
【００２６】
メディアコントローラ１８は、ＳＤ（Secure Digital）カード等のメモリカード（メディア）Ｍを挿入するスロットを有し、ＣＰＵ１１の指示に従い、当該スロットに挿入されたメモリカードＭの情報の読み出し及び書き込みを行う。
【００２７】
次に、図２〜図６を参照して、画像表示装置１の動作を説明する。図２に、画像表示処理を示す。図３に、画像表示処理の第１の画像変換表示処理を示す。図４に、元画像３１を示す。図５（ａ）に、本実施の形態の３分割構図の３分割線３１３及びフォーカス位置３１２を有する元画像３１ａを示す。図５（ｂ）に、トリミング後の画像３２を示す。図５（ｃ）に、拡大後の画像３３を示す。図５（ｄ）に、本実施の形態のアート変換後の画像３４を示す。図６に、本実施の形態の３分割線３１３及び複数のフォーカス位置３１２ｂを有する元画像３１ｂを示す。
【００２８】
画像表示装置１では、画像表示処理が実行される。画像表示処理の実行前に、デジタルカメラで被写体が撮影され、当該撮影された被写体及び背景を有する写真画像（以下、元画像という）の画像データが少なくとも１つメモリカードＭに記憶されているものとする。画像表示処理は、元画像をスライドショー表示する処理である。この元画像の画像データが記憶されているメモリカードＭがメディアコントローラ１８のスロットに挿入されているものとする。
【００２９】
また、予め、操作部１２を介するユーザの設定入力に応じて、第１の画像変換表示処理を実行するか否かが設定され、その設定情報がフラッシュメモリ１７に記憶されているものとする。第１の画像変換表示処理は、元画像を３分割構図に変換し、アート変換して表示する処理である。この設定情報は、全画像（画像データ）について第１の画像変換表示処理を実行するか否かの設定情報、又は画像（画像データ）毎に第１の画像変換表示処理を実行するか否かの設定情報である。
【００３０】
画像表示装置１において、例えば、操作部１２を介してユーザから画像表示処理の実行指示が入力されたことをトリガとして、ＣＰＵ１１は、ＲＯＭ１５から読み出されて適宜ＲＡＭ１３に展開された画像表示プログラム１５１との協働で、画像表示処理を実行する。
【００３１】
図２に示すように、先ず、ＣＰＵ１１は、メディアコントローラ１８により、メモリカードＭから表示対象としての全元画像の画像データを読み出しＲＡＭ１３に格納する（ステップＳ１）。ステップＳ１では、操作部１２を介するユーザの入力により、メモリカードＭに記憶された全画像データのうち、表示対象の任意の画像データを選択できる構成としてもよい。さらに、ステップＳ１では、例えば、予めＩ／Ｆ部１６を介して外部機器から受信された画像データがフラッシュメモリ１７に記憶されており、フラッシュメモリ１７から表示対象の画像データを読み出すこととしてもよい。
【００３２】
そして、ＣＰＵ１１は、操作部１２を介してユーザから画像表示処理の終了指示が入力され、画像表示処理を終了するか否かを判別する（ステップＳ２）。画像表示処理を終了する場合（ステップＳ２；ＹＥＳ）、画像表示処理が終了される。
【００３３】
画像表示処理を終了しない場合（ステップＳ２；ＮＯ）、ＣＰＵ１１は、初期設定された又はステップＳ８で選択されたスライドショーの表示順の次の１つの元画像の画像データをＲＡＭ１３から読み込み開始する（ステップＳ３）。そして、ＣＰＵ１１は、フラッシュメモリ１７に記憶されている設定情報を参照し、この設定情報に応じて、ステップＳ３で読み込み開始された画像データについて画像変換処理を実行するか否かを判別する（ステップＳ４）。画像変換処理を実行する場合（ステップＳ４；ＹＥＳ）、ＣＰＵ１１は、第１の画像変換表示処理を実行する（ステップＳ５）。第１の画像変換表示処理は、詳細に後述される。
【００３４】
画像変換処理を実行しない場合（ステップＳ４；ＮＯ）、ＣＰＵ１１は、ステップＳ３の画像データ読み込みを完了し、当該読み込んだ画像データの画像をそのまま表示部１４に表示する（ステップＳ６）。
【００３５】
そして、ＣＰＵ１１は、ステップＳ５又はＳ６の画像表示開始時から、予め設定された所定時間（例えば、３０秒）経過したか否かを判別する（ステップＳ７）。所定時間経過していない場合（ステップＳ７；ＮＯ）、ステップＳ７に移行される。所定時間経過した場合（ステップＳ７；ＹＥＳ）、ＣＰＵ１１は、ＲＡＭ１３に記憶されている画像データのうち、スライドショーの表示順に、次に表示する画像データを選択し（ステップＳ８）、ステップＳ２に移行される。
【００３６】
図３を参照して、画像表示処理のステップＳ５の第１の画像変換表示処理を説明する。先ず、ＣＰＵ１１は、ステップＳ３の画像データ読み込みを完了する（ステップＳ１１）。そして、ＣＰＵ１１は、ステップＳ１１で読み込んだ画像データの画像について、フォーカス位置の近傍に、フォーカス位置を含み、周囲（背景）から分離された主要な被写体の画像領域（以下、被写体画像とする）を抽出可能であるか（特定できるか）否かを判別する（ステップＳ１２）。
【００３７】
例えば、図４に示すように、被写体として花が撮影され、被写体画像３１１を含み、風景が背景画像となっている元画像３１について考える。デジタルカメラでの撮影において、撮影者は、通常、撮影したい被写体にフォーカス（焦点）を合わせて撮影する。このフォーカスを合わせた元画像上の座標位置（フォーカス位置）の情報は、デジタルカメラにより画像データ（画像ファイル）に付加情報（ＥＸＩＦ（Exchangeable image file format）情報等）として記録される。
【００３８】
従って、ステップＳ１２において、フォーカス位置の情報が画像データに含まれる場合に、ＣＰＵ１１は、そのフォーカス位置の情報を参照して、フォーカス位置の近傍にある被写体画像を撮影者が撮影しようとした特定の被写体と判断することができる。被写体画像の抽出は、周知の被写体画像領域抽出方法を用いて行われる。例えば、コントラストを用いた被写体画像領域抽出方法がある。被写体のコントラスト値は、背景のコントラスト値よりも大きくなるという特性がある。また、被写体のコントラスト値は、非合焦時で低く合焦時で高くなるという特性がある。これらの特性により、コントラスト値が所定閾値よりも大きい領域を元画像から被写体画像として抽出する被写体画像領域抽出方法がある。
【００３９】
また、色を用いた被写体画像領域抽出方法がある。例えば、被写体が人の顔である場合に、肌色領域を元画像から被写体画像として抽出する被写体画像領域抽出方法がある。また、被写体が人の顔以外である場合に、画像データ（画像ファイル）に含まれる撮影時の付加情報のフォーカス位置の情報を参照し、当該フォーカス位置を注目領域として色成分の度数分布を作成し、注目領域における主要色成分を少なくとも１つ設定し、元画像を主要色成分の範囲で分類し、その分類結果に応じて、被写体画像を元画像から抽出する被写体画像領域抽出方法がある。
【００４０】
例えば、図５（ａ）に示すように、ＣＰＵ１１は、周知の被写体画像領域抽出方法により被写体画像３１１が抽出可能であり、抽出可能である被写体画像３１１の重心位置がフォーカス位置３１２の近傍（所定距離内）にあるので、その被写体を、撮影者が撮影しようとした特定の被写体であると判断することができる。
【００４１】
また、フォーカス位置の情報が画像データに含まれる場合がある。例えば、図６に示すように、フォーカス位置の情報として、３つのフォーカス位置３１２ｂが画像データに含まれる場合に、ＣＰＵ１１は、元画像３１ｂにおいて、３つのフォーカス位置３１２ｂから１つの代表のフォーカス位置を算出する。例えば、３つのフォーカス位置３１２ｂの中心位置を１つの代表のフォーカス位置として算出したり、３つのフォーカス位置３１２ｂを含む被写体画像３１１を抽出し、被写体画像３１１の重心位置を１つの代表のフォーカス位置として算出したりする。
【００４２】
また、ステップＳ１２において、フォーカス位置の情報が画像データに含まれない場合に、ＣＰＵ１１は、元画像の中で高いコントラストの領域を抽出して、その領域の重心位置をフォーカス位置と判断し、その近傍にある被写体画像を、撮影者が撮影しようとした特定の被写体であると判断することができる。
【００４３】
例えば、図５（ａ）において、ＣＰＵ１１は、コントラストが所定値以上の領域の重心位置であるフォーカス位置３１２を算出し、周知の被写体画像領域抽出方法により被写体画像３１１を抽出し、抽出した被写体画像３１１がフォーカス位置３１２の近傍にあるので、その被写体画像３１１を、撮影者が撮影しようとした特定の被写体であると判断することができる。なお、ステップＳ１２では、被写体画像を実際に抽出しなくてもよい。
【００４４】
フォーカス位置の近傍に被写体画像を抽出可能である（特定できた）場合（ステップＳ１２；ＹＥＳ）、ＣＰＵ１１は、元画像の３分割構図の縦横の３分割線を算出し、ステップＳ１１で抽出可能となった（特定された）被写体画像のフォーカス位置又は重心位置（フォーカス位置が被写体画像内に無い場合）が、算出した３分割線の交点近傍にあるか否かを判別する（ステップＳ１３）。例えば、図５（ａ）の元画像３１において、ＣＰＵ１１は、被写体画像３１１のフォーカス位置又は重心位置が、３分割線３１３の右下の交点３１３１の近傍（所定距離内）にあると判別する。
【００４５】
被写体画像のフォーカス位置又は重心位置が３分割線の交点近傍にない場合（ステップＳ１３；ＮＯ）、ＣＰＵ１１は、ステップＳ１１で抽出可能となった被写体画像のフォーカス位置又は重心位置が３分割線の交点に位置する元画像のトリミング範囲を設定する（ステップＳ１４）。例えば、図５（ｂ）に示すように、ＣＰＵ１１は、元画像３１ａ内で、被写体画像３１１のフォーカス位置３１２が３分割線３２３の右下の交点３２３１になる画像３２をトリミング範囲として設定する。
【００４６】
トリミング範囲としては、元画像３１ａのできるだけ広い範囲を生かして残すことが好ましい。このため、３分割線３２３の右下の交点３２３１を、被写体画像３１１のフォーカス位置又は重心位置の移動先として選択している。但し、この構成に限定されるものではなく、例えば、操作部１２を介するユーザの操作入力により、３分割線の４つの交点のうち、被写体画像のフォーカス位置又は重心位置を合わせる先の１つの交点を選択する構成としてもよい。
【００４７】
そして、ＣＰＵ１１は、ステップＳ１４で設定したトリミング範囲で元画像のトリミングを実行し、元画像より小さなトリミング範囲の画像を取得する（ステップＳ１５）。そして、ＣＰＵ１１は、ステップＳ１５で取得したトリミング範囲の画像の大きさを、元画像の大きさに拡大し、拡大したトリミング範囲の画像を取得する（ステップＳ１６）。例えば、図５（ｃ）に示すように、ＣＰＵ１１は、トリミング範囲の画像３２を拡大して、元画像と同じ大きさの画像３３を取得する。画像３３は、拡大後の被写体画像３１１及び３分割線３３３を含む。被写体画像３１１のフォーカス位置３１２が、３分割線３３３の右下の交点３３３１に位置している。
【００４８】
そして、ＣＰＵ１１は、ステップＳ１６で拡大した画像にアート変換を実行する（施す）（ステップＳ１７）。アート変換とは、元画像を、点描画風、色鉛筆画風、刺繍画風、油絵風、ポスター画風、ちぎり画風及び水彩画風等の少なくとも一つの画風に加工することである。アート変換の具体的な方法は、例えば、アドビシステム社のフォトショップ（登録商標）等が有するアート変換機能に用いられる方法を用いて実現できる。
【００４９】
点描画風への画像変換では、例えば、画像を構成する線又は塗り潰しが、連続していない点の集合に変換される。色鉛筆画風への画像変換では、例えば、画像を構成する塗り潰しが網目状に変換されると共に、網目部分が背景色に変換される。なお、背景色は、例えば、画用紙の色として一般的な色であると良い。刺繍画風への画像変換では、例えば、画像を構成する線又は塗り潰しが、連続していない線の集合に変換される。線の集合で刺繍糸が表されるためである。例えば、図５（ｄ）に示すように、ＣＰＵ１１は、図５（ｃ）の画像３３をアート変換して画像３４を生成する。
【００５０】
そして、ＣＰＵ１１は、ステップＳ１７でアート変換した画像を表示部１４に表示し（ステップＳ１８）、第１の画像変換表示処理を終了する。フォーカス位置の近傍に被写体画像を抽出可能でない（特定できない）場合（ステップＳ１２；ＮＯ）、又は被写体画像のフォーカス位置又は重心位置が３分割線の交点近傍にある場合（ステップＳ１３；ＹＥＳ）、ＣＰＵ１１は、元画像の画像データを用いて、元画像をそのまま表示部１４に表示し（ステップＳ１９）、画像変換処理を終了する。
【００５１】
以上、本実施の形態によれば、画像表示装置１は、元画像から被写体画像を特定し、当該特定された被写体画像のフォーカス位置又は重心位置が３分割線の交点に位置する前記元画像のトリミング範囲を設定し、当該トリミング範囲で前記元画像をトリミングし、当該トリミングした画像を拡大し、当該拡大した画像を表示部１４に表示させる。このため、被写体画像のフォーカス位置又は重心位置が３分割線の交点に位置する好ましい構図で見栄えの良い画像を簡易に得て表示できる。
【００５２】
また、画像表示装置１は、被写体画像のフォーカス位置又は重心位置が元画像の３分割線の交点に位置する前記拡大後の画像をアート変換し、当該アート変換した画像を表示部１４に表示させる。このため、さらに見栄えの良い画像を表示できる。
【００５３】
（第２の実施の形態）
図７及び図８を参照して、本発明に係る第２の実施の形態を説明する。図７に、第２の画像変換表示処理を示す。図８（ａ）に、本実施の形態の３分割構図の３分割線４１３及びフォーカス位置４１２を有する元画像４１を示す。図８（ｂ）に、被写体画像４２１移動及び貼り付け後の画像４２を示す。図８（ｃ）に、補間後の画像４３を示す。図８（ｄ）に、本実施の形態のアート変換後の画像４４を示す。
【００５４】
本実施の形態の装置として、第１の実施の形態と同様に画像表示装置１を用いる。但し、画像表示装置１のＲＯＭ１５には、図２の画像表示処理のステップＳ５として、図３の第１の画像変換表示処理に替えて、図７の第２の画像変換表示処理とした画像表示プログラム１５１が記憶されているものとする。
【００５５】
図７及び図８を参照して、画像表示装置１の動作を説明する。上述のように、図３の第１の画像変換表示処理を図７の第２の画像変換表示処理に替えた動作となるので、画像表示処理における第２の画像変換表示処理のみを説明する。
【００５６】
図７に示すように、画像表示処理のステップＳ５として第２の画像変換表示処理が実行される。ステップＳ２１〜Ｓ２３は、図３のステップＳ１１〜Ｓ１３と同様である。  被写体画像のフォーカス位置又は重心位置が３分割線の交点近傍にない場合（ステップＳ２３；ＮＯ）、ＣＰＵ１１は、ステップＳ２１で抽出可能となった（特定された）被写体画像を元画像から抽出する（ステップＳ２４）。例えば、図８（ａ）に示すように、ＣＰＵ１１は、被写体画像４１１、フォーカス位置４１２及び３分割線４１３を含む元画像４１内から、周知の被写体画像領域抽出方法により被写体画像４１１を抽出する。
【００５７】
ステップＳ２４において、抽出可能な被写体画像が複数ある場合、例えば、一番面積が大きい画像領域等、最も主要な被写体であると推定される画像領域を抽出する。
【００５８】
そして、ＣＰＵ１１は、ステップＳ２４で抽出した被写体画像を、そのフォーカス位置又は重心位置が元画像中の縦横の３分割線の交点になる位置に移動して貼り付ける（ステップＳ２５）。ＣＰＵ１１は、被写体画像のフォーカス位置又は重心位置を貼り付ける交点を、３分割線の４つの交点のうちから１つ選択する。例えば、後述する補間処理を簡単にするため、被写体画像のフォーカス位置又は重心位置が最も近い１つの交点を選択したり、操作部１２を介するユーザの選択入力に応じた１つの交点を選択したりする。例えば、図８（ｂ）に示すように、ＣＰＵ１１は、被写体画像４１１を抽出して被写体画像４２１とし、被写体画像４２１のフォーカス位置を、３分割線４１３の右下の交点４２３１に移動して貼り付けて画像４２とする。被写体画像４２１を抽出した領域が空白領域４２４となっている。
【００５９】
そして、ＣＰＵ１１は、ステップＳ２５の被写体画像の移動及び貼り付け後の画像において、被写体画像を抽出した空白領域を補間する（ステップＳ２６）。被写体画像移動後の空白領域の補間処理は、周知の空白領域補間処理により行われる。例えば、特開平９−２５９２５２号公報（信学会論文誌86/1 vol.1.J69-D No.1 pp.91-97）に記載のように、空白領域周囲の画素値を参照し、空白領域周囲から薄い皮を張っていく要領で周囲から中央に向かって空白領域を埋めていく方法がある。しかし、これに限定されるものではない。例えば、図８（ｃ）に示すように、ＣＰＵ１１は、被写体画像４２１移動及び貼り付け後の画像４２の空白領域４２４を補間して補間領域４３４とする。
【００６０】
ステップＳ２７，Ｓ２８，Ｓ２９は、順に、図３のステップＳ１７，Ｓ１８，Ｓ１９と同様である。例えば、図８（ｄ）に示すように、ＣＰＵ１１は、図８（ｃ）の画像４３をアート変換して画像４４を生成する。画像４４では、補間領域４３４が目立っていない。
【００６１】
以上、本実施の形態によれば、画像表示装置１は、被写体画像を元画像から抽出し、当該抽出した被写体画像を、そのフォーカス位置又は重心位置が前記元画像の３分割線の交点になる位置に移動して貼り付け、当該被写体画像を貼り付けた画像の空白領域を補間し、当該補間した画像を表示部１４に表示させる。このため、被写体画像のフォーカス位置又は重心位置が３分割線の交点に位置する好ましい構図で見栄えの良い画像を簡易に得て表示できる。
【００６２】
また、画像表示装置１は、被写体画像のフォーカス位置又は重心位置を元画像の３分割線の交点に合わせた空白領域補間後の画像をアート変換し、当該アート変換した画像を表示部１４に表示させる。このため、さらに見栄えの良い画像を表示できるとともに、アート変換により被写体画像を抽出した空白領域をさらに補間できる。よって、ステップＳ２６の空白領域を補間する処理を簡略化することができる。
【００６３】
以上の説明では、本発明に係るプログラムのコンピュータ読み取り可能な媒体としてＲＯＭ１５を使用した例を開示したが、この例に限定されない。
その他のコンピュータ読み取り可能な媒体として、フラッシュメモリ等の不揮発性メモリ、ＣＤ−ＲＯＭ等の可搬型記録媒体を適用することが可能である。
また、本発明に係るプログラムのデータを、通信回線を介して提供する媒体として、キャリアウエーブ（搬送波）も本発明に適用される。
【００６４】
なお、上記各実施の形態における記述は、本発明に係る画像表示装置及びプログラムの一例であり、これに限定されるものではない。
【００６５】
例えば、上記各実施の形態では、被写体画像のフォーカス位置又は重心位置を３分割線の交点に合わせる構成であったが、これに限定されるものではない。例えば、被写体画像の任意の位置を３分割線の交点に合わせる構成としてもよい。また、被写体画像の位置を３分割線の交点近傍に合わせる構成としてもよい。
【００６６】
また、上記各実施の形態における画像表示装置の各構成要素の細部構成及び細部動作に関しては、本発明の趣旨を逸脱することのない範囲で適宜変更可能であることは勿論である。
【符号の説明】
【００６７】
１  画像表示装置
１１  ＣＰＵ
１２  操作部
１３  ＲＡＭ
１４  表示部
１５  ＲＯＭ
１６  Ｉ／Ｆ部
１７  フラッシュメモリ
１８  メディアコントローラ
１９  バス
【図１】
2012073422.tif 000003
【図２】
2012073422.tif 000004
【図３】
2012073422.tif 000005
【図７】
2012073422.tif 000006
【図４】
2012073422.tif 000007
【図５】
2012073422.tif 000008
【図６】
2012073422.tif 000009
【図８】
2012073422.tif 000010